(57)【特許請求の範囲】
【請求項１】
ＩＤやパスワードを含めた認証情報を用いてアクセスする機能を有する認証情報設定装置において、
使用者に対し、ＩＤやパスワードを含む認証情報の入力を促すための認証情報入力画面を表示する表示手段と、
前記認証情報を入力するための認証情報入力手段と、
使用者に対し、前記認証情報入力手段にて入力された認証情報を格納するか否かを選択させる選択手段と、
前記選択手段によって、前記認証情報を格納することが選択された場合に、前記認証情報入力手段にて入力された認証情報を格納する認証情報格納手段と、
サーバにアクセスを行い、そのアクセス時に前記認証情報の有効期限切れによる接続エラーが発生したか否かを検知する認証情報有効期限切れ検知手段と、
前記認証情報有効期限切れ検知手段にて有効期限が切れていると検知された場合であって、前記認証情報格納手段に前記認証情報が格納されている場合に、当該認証情報を前記サーバに送信する認証情報送信手段と、
前記認証情報有効期限切れ検知手段にて有効期限が切れていると検知された場合であって、前記認証情報格納手段に前記認証情報が格納されていない場合に、前記表示手段に対し、前記認証情報入力画面を表示させる表示制御手段と、を備えることを特徴とする認証情報設定装置。
【請求項２】
前記認証情報格納部に格納されているインターネット上のＷＥＢへのアクセスに必要なＩＤやパスワードを含めた認証情報は、前記各ＷＥＢ毎に格納して、インターネット上のＷＥＢへのアクセスを行うことを特徴とする請求項１記載の認証情報設定装置。
【請求項３】
前記認証情報有効期限切れ検知手段にて有効期限が切れていると検知された場合であって、前記認証情報格納手段に前記認証情報が格納されている場合には、前記認証情報格納手段に格納されている認証情報を送信するか、あるいはユーザが新規に入力する認証情報を送信するかのいずれかを選択し、内容の確認を行う更新認証情報確認手段を、さらに備えてなることを特徴とする請求項１記載の認証情報設定装置。
【請求項４】
請求項１記載の認証情報設定装置の認証情報設定方法において、
前記表示手段が、使用者に対し、ＩＤやパスワードを含む認証情報の入力を促すための認証情報入力画面を表示する表示ステップと、
前記認証情報入力手段が、前記認証情報を入力する認証情報入力ステップと、
前記選択手段が、使用者に対し、前記認証情報入力ステップにて入力された認証情報を格納するか否かを選択させる選択ステップと、
前記認証情報格納手段が、前記選択ステップにて、前記認証情報を格納することが選択された場合に、前記認証情報入力ステップにて入力された認証情報を格納する認証情報格納ステップと、
前記認証情報有効期限切れ検知手段が、サーバにアクセスを行い、そのアクセス時に前記認証情報の有効期限切れによる接続エラーが発生したか否かを検知する認証情報有効期限切れ検知ステップと、
前記認証情報送信手段が、前記認証情報有効期限切れ検知ステップにて有効期限が切れていると検知された場合であって、前記認証情報格納ステップにて前記認証情報が格納された場合に、当該認証情報を前記サーバに送信する認証情報送信ステップと、
前記表示制御手段が、前記認証情報有効期限切れ検知ステップにて有効期限が切れていると検知された場合であって、前記認証情報格納ステップにて前記認証情報が格納されていない場合に、前記表示手段に対し、前記認証情報入力画面を表示させる表示制御ステップと、を順次実行されてなることを特徴とする認証情報設定方法。
【発明の詳細な説明】
【０００１】
【発明の属する技術分野】
本発明は、インターネットでのＷＥＢの内容を見ることが可能なブラウザ機能を有する、または、インターネット通信などでパスワード等の認証が必要な外部へのアクセスを実行する認証情報設定装置及び認証情報設定方法に関するものである。
【０００２】
【従来の技術】
従来からインターネット上のＷＥＢにアクセスする場合には、ＩＤ、パスワード等の認証情報の設定が必要な情報がいくつかある。このような情報は有効期限を持つものが多く、有効期限後は再度認証情報の入力画面の表示、再入力による再設定を必要としていた。
【０００３】
特開平７−１８２０６４号公報には、使用者のシステムへのアクセス頻度を基にして、システム側でパスワードの有効期限を設定できるようにし、その有効期限終了日時より一定日時前までの間をパスワード更新期間として、この期間内にシステムにログインしてきた使用者に対してはパスワード変更要求メッセージを表示することで、パスワード有効期限が間近であることを知らせ、パスワード更新を促す方法について記載されている。
【０００４】
【発明が解決しようとする課題】
しかしながら、前記記載の技術においては、なお以下のような課題を有している。
【０００５】
前記特開平７−１８２０６４号公報で開示されている技術では、パスワードの有効期限が切れてしまう前にパスワードを更新することはできる。しかし、更新のためには再入力による再設定が必要であり、また、以前と同一の認証情報を設定する際も再入力の手間を有するという課題がある。
【０００６】
本発明は、上記問題点を解決するためになされたもので、その目的とするところは、インターネット上のＷＥＢへのアクセス時、ＩＤ、パスワード等の認証情報が有効期限を持つものである場合、この認証情報を端末側で保存しておき、有効期限後に保存している認証情報を自動的に再設定することにより、認証情報を変更しない場合の認証情報入力画面の表示、再入力等の操作の手間を省き、操作性の効率を上げることのできる認証情報設定装置及び認証情報設定方法を提供することである。
【０００７】
【課題を解決するための手段】
本発明における認証情報設定装置は、ＩＤやパスワードを含めた認証情報を用いてアクセスする機能を有する認証情報設定装置において、ＩＤやパスワードを含む認証情報を入力する認証情報入力手段と、前記認証情報入力手段にて入力された認証情報を格納する認証情報格納手段と、前記認証情報格納手段に格納されている認証情報をホストや別の端末装置に送信する認証情報送信手段と、前記認証情報送信手段にて送信された認証情報により、ホストや別の端末装置にアクセスを行い、そのアクセス時に前記認証情報の有効期限切れによる接続エラーが発生したか否かを検知する認証情報有効期限切れ検知手段と、前記認証情報有効期限切れ検知手段にて有効期限が切れていると検知された場合、前記認証情報格納手段に格納されている認証情報を新たな認証情報として設定する更新認証情報設定手段とを備えてなることを特徴とする。
【０００８】
本発明における認証情報設定装置は、前記認証情報格納部に格納されているインターネット上のＷＥＢへのアクセスに必要なＩＤやパスワードを含めた認証情報は、前記各ＷＥＢ毎に格納して、インターネット上のＷＥＢへのアクセスを行うことを特徴とする。
【０００９】
本発明における認証情報設定装置は、前記更新認証情報設定手段にて設定する更新認証情報として、前記認証情報格納部に格納されている認証情報を使用するか、あるいはユーザが新規に入力する認証情報を使用するかのいずれかを選択し、内容の確認を行う更新認証情報確認手段を、さらに備えてなることを特徴とする。
【００１０】
本発明における認証情報設定方法は、ＩＤやパスワードを含めた認証情報を用いてアクセスする機能を有する装置の認証情報設定方法において、ＩＤやパスワードを含む認証情報を入力する認証情報入力ステップと、前記ステップにて入力された認証情報を格納する認証情報格納ステップと、前記ステップに格納されている認証情報をホストや別の端末装置に送信する認証情報送信ステップと、前記ステップにて送信された認証情報により、ホストや別の端末装置にアクセスを行い、そのアクセス時に前記認証情報の有効期限切れによる接続エラーが発生したか否かを検知する認証情報有効期限切れ検知ステップと、前記ステップにて有効期限が切れていると検知された場合、前記認証情報格納ステップにて格納されている認証情報を新たな認証情報として設定する更新認証情報設定ステップとを順次実行されてなることを特徴とする。
【００１１】
【発明の実施の形態】
以下に、本発明における認証情報設定装置及び認証情報設定方法の実施形態に関して図面を用いて詳細に説明する。尚、ここではわかりやすくするために認証情報設定装置を電子機器として説明する。また、この電子機器は、以下に記載されている機能を備えた内容ののものであれば、どのようなものであってもかまわない。例えば、電子手帳や携帯情報端末、ＰＨＳや携帯電話、パソコンやワープロ、ＡＴＭやＣＤ等の銀行端末、ＰＯＳやＥＣＲ等の機器であってもよく、さらには、これ以外に個人認証を必要とする機器であれば、すべて適用できる内容のものである。
【００１２】
図１は、本発明における電子機器の平面図である。電子機器本体１には、メッセージや画像等の表示を行う液晶等の表示部２、各種操作を行うための入力部６が設けられている。入力部６は電源をＯＮ／ＯＦＦする電源キー６１と、インターネットへのアクセスを実行するインターネットアクセスキー６２、ＯＫキー６３、キャンセルキー６４、その他入力キーなどから構成される。ＯＫキー６３とキャンセルキー６４はデータの入力時の登録、キャンセルやアラート表示などで実行、確認またはキャンセルを行うためのものである。
【００１３】
尚、この電子機器本体１への文字入力はキーボードやタッチパネル等により行われるが、ここでは図１に示すような入力部（キーボード）６によって文字入力されるものとして説明する。
【００１４】
図２は、本発明における電子機器の機能構成を示すブロック図である。本発明の電子機器は、表示部２と、表示制御部３と、ＣＰＵ４と、入出力ポート５と、キーボード等の入力部６と、通信ユニット７と、ＲＯＭ８と、ＲＡＭ９等から構成されている。
【００１５】
表示部２は、例えばドットマトリクス構成の液晶表示装置（ＬＣＤ）等であって、ＣＰＵ４からの制御信号に基づいて、表示制御部３（ＬＣＤドライバー）の表示バッファ３１に表示するデータを書込むことにより、データやメッセージの表示を行う。
【００１６】
ＣＰＵ４は、ＩＤ／パスワード認証画面表示部４１、制御部４２、演算部４３、データ比較部４４等の機能に細分化される。ＩＤ／パスワード認証画面表示部４１は、ＩＤナンバーやパスワードといった認証情報を入力する画面等を表示したりする表示制御部３を制御する。制御部４２は、本発明の電子機器全体を制御する。演算部４３は、各種演算を行う。データ比較部４４は、ＲＡＭ９中に格納されているアドレスと、アクセスしようとしているアドレス等の比較を行う。
【００１７】
入力部６から入力されたキー入力は、入出力ポート５を介してＣＰＵ４で処理され、どのキーが操作されたかが判断される。
【００１８】
通信ユニット７は、ネットワークに接続するための制御を行い、電話回線等の有線や無線を用いてネットワークを介して所望のサーバと接続を行う。
【００１９】
ＲＯＭ８には、ＣＧデータ部８１や、プログラム部８２等があり、ＣＧデータ部８１にはネットワークに対して接続状態であることを示すキャラクターや、文字を表示するためのデータが格納されており、プログラム部８２には本発明の電子機器を制御するためのプログラムが格納されている。
【００２０】
ＲＡＭ９には、ＷＥＢアドレスデータ部９１、ＩＤデータ部９２、パスワードデータ部９３、その他認証情報データ部９４、バッファ部９５等が含まれている。ＷＥＢアドレスデータ部９１には認証情報が必要となるＷＥＢのアドレス情報が、ＩＤデータ部９２、パスワードデータ部９３、その他認証情報データ部９４には、前記ＷＥＢアドレスデータ部９１に格納されているＷＥＢにアクセスするのに必要なＩＤナンバー、パスワード、その他認証に必要な情報がそれぞれ格納されている。また、バッファ部９５は、本発明の電子機器を制御するために必要となるワークエリア等として使用されるものであり、一次的に必要なデータを含め、このバッファ部９５に格納される。尚、このＲＡＭ９の少なくともバッファ部９５以外の部分については、図示されていない電池等でバックアップされており、電源をＯＦＦした時でも情報は保持されている。
【００２１】
図４は、ＲＡＭ９に記憶されたデータの構成図である。９０は各ＷＥＢごとに指定されたＷＥＢに対しての、ＷＥＢアドレス、ＩＤ、パスワード、その他の認証情報データを格納していることを示している。これらの認証情報はそれぞれ、ＷＥＢアドレスデータ部９１、ＩＤデータ部９２、パスワードデータ部９３、その他認証情報データ部９４に記憶される。ここでは、３件のＷＥＢアドレスに対してそれぞれの認証情報が格納されていることを示している。
【００２２】
次に、上記各部の働きについて図５及び図６の本発明の電子機器の動作を示したフローチャートを用いて詳細に説明する。また、図３は、本発明の電子機器のインターネット上のＷＥＢへ初回のアクセス時におけるＩＤ／パスワード等の認証情報入力画面の表示例である。
【００２３】
図５において、通信ユニット７を通じて、インターネット上のＷＥＢにアクセスする（ステップＳ５１）と、アクセス先のＷＥＢより通信ユニット７を通じて様々なデータが送信されてくる。この送信されてきたデータが、表示データであるのか、認証情報の取得要求であるのか、あるいは、認証情報の有効期限切れエラー発生の通知であるのかを判断する（ステップＳ５２）。表示データが送られてきた場合は、該当データの表示を行い（ステップＳ５３）、処理を終了する。
ここで、ステップＳ５２における判断は、送信されてきたデータを確認することで実現される。
【００２４】
ステップＳ５２において、認証情報の取得を要求された場合は、認証情報の取得処理を行って（ステップＳ６０）、アクセス先のＷＥＢへ送信する（ステップＳ５７）。この認証情報の取得処理について図６のフローチャートを用いてさらに詳細に説明する。但し、ここでは認証に必要な項目はＩＤとパスワードであるとする。
【００２５】
まず、認証情報入力画面を表示する（ステップＳ６１）。図３は、本発明の電子機器のインターネット上のＷＥＢへ初回のアクセス時におけるＩＤ／パスワード等の認証情報入力画面の表示例である。ＩＤ入力枠２１、パスワード入力枠２２が表示されており、入力部６によりＩＤ入力枠２１にＩＤを、パスワード入力枠２２にパスワードをそれぞれ入力するものとし、それぞれＲＡＭ９のＩＤデータ部９２、パスワードデータ部９３に記憶される。
【００２６】
ＩＤ入力枠２１、パスワード入力枠２２にそれぞれＩＤ、パスワードを入力すると（ステップＳ６２）、入力終了時にＯＫキー６３あるいはキャンセルキー６４の押下によって入力した認証情報で決定するか否かを使用者に確認を促す（ステップＳ６３）。キャンセルキー６４が押下された場合は、再度認証情報入力画面に戻る（ステップＳ６１）。
【００２７】
ＯＫキー６３が押下された場合は、メモリーに登録するかどうかの確認画面が表示される（ステップＳ６４）。ここで、図７は、ステップＳ６４における保存確認画面の表示例である。これは、次回以降のアクセスの認証情報の有効期限が切れた時に、現在入力済みの認証情報を自動再設定するか否かを選択できるようにするためのものである。
【００２８】
ＯＫキー６３あるいはキャンセルキー６４の押下によって、使用者の意志によって現在アクセスしているＷＥＢへの認証情報をメモリーに保存するか否かを選択する（ステップＳ６５）。
【００２９】
ＯＫキー６３が押下された場合は、認証情報の有効期限が切れた時に自動再設定させるために、認証情報データ等をＲＡＭ９に保存する（ステップＳ６６）。ＷＥＢアドレスデータ部９１にアクセスしているＷＥＢのアドレスを、ＩＤデータ部９２に入力したＩＤを、パスワードデータ部９３に入力したパスワードを、それぞれ格納する。尚、ここではその他の認証データは存在しないものとする。保存した後、アクセス先のＷＥＢへ認証情報を送信する（ステップＳ５７）。
【００３０】
キャンセルキー６４が押下された場合は、ＲＡＭ９への保存を行うことなく、アクセス先のＷＥＢへ認証情報を送信する。
【００３１】
次に、ステップＳ５２において、認証情報の有効期限が切れていた場合について説明する。
【００３２】
図５において、通信ユニット７を通じて指定ＷＥＢへアクセスし（ステップＳ５１）、アクセス先より認証情報の有効期限切れエラーが発生したと通知された場合（ステップＳ５２）、現在アクセス中のＷＥＢに対する認証情報がメモリー内に保存されているかどうかの検索を行う（ステップＳ５８）。
【００３３】
検索の結果メモリーに保存されている場合は、保存されている認証情報データをＲＡＭ９のバッファ部９５に読み出し（ステップＳ５９）、使用者に認証情報を再入力させることなく、読み出した認証情報データをアクセス先のＷＥＢへ自動的に送信する（ステップＳ５７）。メモリーに保存されていない場合は、認証情報取得処理を行うためステップＳ６０に移行し、使用者が新たに認証情報を入力してから入力データをアクセス先ＷＥＢへ送信する。
【００３４】
図８は、ステップＳ５８における認証情報データの検索の様子を示す図である。現在アクセス中のＷＥＢのアドレス１１には、入力部６から入力されて指定され、現在ネットワークを介してアクセスしているＷＥＢのアドレスが格納されている。また、一度入力したことのあるデータであればメモリーに保存しておき、このデータを読み出したものでもよい。
【００３５】
ここに格納されているアドレス情報と同じアドレスが、ＲＡＭ９のＷＥＢアドレスデータ部９１に存在するかどうかを順に検索することで、認証情報データが存在するかどうかがわかる。同じアドレスが存在した場合に、そのＷＥＢアドレスに対応するＩＤ、パスワード等の認証情報を、ＩＤデータ部９２、パスワードデータ部９３、その他認証情報データ部９４から読み込み、ネットワークを介して、サーバに送信される。
【００３６】
以上の動作により、同一の認証情報を再設定する場合は認証情報が自動設定されるので、認証情報の再設定画面の表示、入力等の使用者の手間を確実に省くことができ、効率向上につながる。
【００３７】
さらに、本発明における電子機器は、ＲＡＭ９に保存しておいた認証情報を自動再設定する前に、現在の保存認証データを送信していいか使用者に対して確認を促すこともできる。この自動再設定の確認機能について図１０のフローチャートを用いて詳細に説明する。
【００３８】
メモリーから保存した認証情報を検索（ステップＳ５８）、読み出した（ステップＳ５９）後、認証情報の再設定確認画面を表示（ステップＳ１０１）する。図９は、ステップＳ１０１における認証情報の再設定確認画面の表示例である。ＯＫキー６３あるいはキャンセルキー６４の押下によって、使用者の意志によって現在の認証情報データをそのまま再設定するか否かを選択する（ステップＳ１０２）。
【００３９】
ＯＫキー６３が押下された場合は、図５のステップＳ５７に移行して現在のメモリーに保存された認証情報をアクセス先へ送信する。キャンセルキー６４が押下された場合は、現在の認証情報を送信するとともに認証情報変更要求を送信し、認証情報取得処理（図６ステップＳ６０）へ移行して認証情報を更新するための認証情報入力画面を表示する。尚、キャンセルキー６４が押下された場合の現在の認識情報の送信は、期限切れでエラーになったサーバーに対して一度接続するためであり、接続した後に認証情報を送信し、認証情報更新の手続きを行うものである。
【００４０】
以上の動作により、使用者は認証情報を更新したい時のみ更新を行うことができ、かつ現在と同じ認証情報のまま送信したいときは再入力する手間を省くことができる。
【００４１】
尚、上記説明した内容は、インターネット上のＷＥＢへのアクセスに限定されるものではなく、インターネット以外の外部通信情報へのアクセス、または通信手段を持つこれらの電子機器同士などにおいても有効であることは言うまでもない。
【００４２】
以上、ここまで挙げた実施形態における内容は、本発明の主旨を変えない限り、上記記載に限定されるものではない。
【００４３】
【発明の効果】
本発明における認証情報設定装置及び認証情報設定方法においては、以下の効果が得られる。
【００４４】
インターネット上のＷＥＢへのアクセス時に、ＩＤやパスワードを含めた認証情報が有効期限を持つものである場合、この認証情報を端末装置側で保存しておいて有効期限切れ時に保存している認証情報を自動的に再設定することができる。これによって、認証情報を変更しない場合の認証情報の入力画面の表示、再入力等の操作の手間を省き、操作性の効率を上げることができる。
【００４５】
また、認証情報をメモリーに保存する際に使用者に現在の認証情報データを保存するかどうかの確認を行うことにより、必要な認証データのみを登録し自動再設定させることができる。そのため、セキュリティの面でも安心して、使用者の要求に合った認証情報の自動再設定を行うことが可能である。
【図面の簡単な説明】
【図１】本発明の電子機器の平面図である。
【図２】本発明の電子機器の機能構成を示すブロック図である。
【図３】本発明の電子機器における初回のＩＤ／パスワード認証情報入力画面の表示例である。
【図４】ＲＡＭ上の指定ＷＥＢアドレス、ＩＤ、パスワード等のデータ部の構成図である。
【図５】本発明の電子機器における認証情報自動再設定に関するフローチャートである。
【図６】本発明の電子機器における認証情報保存確認に関するフローチャートである。
【図７】本発明の電子機器における認証情報保存確認画面の表示例である。
【図８】ＲＡＭ上の指定ＷＥＢアドレスを検索する状態を示す図である。
【図９】本発明の電子機器における認証情報自動再設定確認画面の表示例である。
【図１０】本発明の電子機器における認証情報自動再設定確認に関するフローチャートである。
【符号の説明】
１  電子機器本体
２  表示部（ＬＣＤ）
３  表示制御部（ＬＣＤドライバー）
３１  表示バッファ
４  ＣＰＵ
４１  ＩＤ／パスワード認証画面表示部
４２  制御部
４３  演算部
４４  データ比較部
５  入出力ポート
６  入力部（キー群）
６１  電源キー
６２  インターネットアクセスキー
６３  ＯＫキー
６４  キャンセルキー
７  通信ユニット
８  ＲＯＭ
８１  ＣＧデータ部
８２  プログラム部
９  ＲＡＭ
９１  ＷＥＢアドレスデータ部
９２  ＩＤデータ部
９３  パスワードデータ部
９４  その他認証情報データ部
９５  バッファ部
【図１】
0004497608.tif 000002
【図２】
0004497608.tif 000003
【図３】
0004497608.tif 000004
【図４】
0004497608.tif 000005
【図５】
0004497608.tif 000006
【図６】
0004497608.tif 000007
【図７】
0004497608.tif 000008
【図８】
0004497608.tif 000009
【図９】
0004497608.tif 000010
【図１０】
0004497608.tif 000011